(57)【要約】【課題】トリガーを後方に向けて揺動させる際の操作性を向上することができる。【解決手段】液体が収容された容器体Ａに装着される噴出器本体１０と、噴出器本体１０の前方側に配設され、容器体Ａ内の液体を噴射する噴出孔２１が前方に向けて開口するノズル部２０と、を備え、噴出器本体１０は、前方付勢状態で後方に揺動自在に配設されたトリガー部１１と、トリガー部１１の前後動に伴って作動するポンプ部１２と、を備え、ポンプ部１２の作動に伴って、容器体Ａ内から吸い上げられた液体が噴出孔２１から噴射されるトリガー式液体噴出器１であって、トリガー部１１には、トリガーカバー３０が取付けられ、トリガーカバー３０の下端部は、トリガー部１１の下端部から下方に突出している。【選択図】図１
2019011108.tif 000002
【特許請求の範囲】
【請求項１】
液体が収容された容器体に装着される噴出器本体と、
前記噴出器本体の前方側に配設され、前記容器体内の液体を噴射する噴出孔が前方に向けて開口するノズル部と、を備え、
前記噴出器本体は、前方付勢状態で後方に揺動自在に配設されたトリガー部と、
前記トリガー部の前後動に伴って作動するポンプ部と、を備え、
前記ポンプ部の作動に伴って、前記容器体内から吸い上げられた液体が前記噴出孔から噴射されるトリガー式液体噴出器であって、
前記トリガー部には、トリガーカバーが取付けられ、
前記トリガーカバーの下端部は、前記トリガー部の下端部から下方に突出していることを特徴とするトリガー式液体噴出器。
【請求項２】
前記トリガーカバーは、前記トリガー部の前面に取付けられ、
前記トリガーカバーは、前記噴出孔の下方に位置し、
前記トリガーカバーの上端部において、前記噴出孔と左右方向の位置が同等である部分には、前方に向けて突出する受け部が形成され、
前記受け部の前端部は、前記噴出孔よりも前方に位置していることを特徴とする請求項１に記載のトリガー式液体噴出器。
【請求項３】
前記ノズル部は、前記噴出孔からの、前記容器体内の液体の噴射が可能となる噴射可能位置と、前記噴出孔からの、前記容器体内の液体の噴射が規制される噴射規制位置と、の間を、前記噴出器本体に対して、前記噴出孔の中心軸線周りに周回する周方向に回転可能に配設され、
前記トリガーカバーは、前記トリガー部の前面に取付けられたトリガーカバー本体と、
内側に前記ノズル部が収容された筒状のノズルカバーと、を備え、
前記トリガーカバー本体および前記ノズルカバーは、弱化部を介して互いに接続されるとともに、一体に形成されていることを特徴とする請求項１又は２に記載のトリガー式液体噴出器。
【請求項４】
前記ノズルカバーの外周面には、径方向の外側に向けて突出する操作突起が形成されていることを特徴とする請求項３に記載のトリガー式液体噴出器。
【請求項５】
前記ノズルカバーに破断容易部を介して接続された回転規制片を備え、
前記回転規制片は、前記ノズル部が前記噴射規制位置から前記噴射可能位置に向けて移動したときに、前記噴出器本体に係止されることを特徴とする請求項３又は４に記載のトリガー式液体噴出器。
【発明の詳細な説明】
【技術分野】
【０００１】
本発明は、トリガー式液体噴出器に関する。
【背景技術】
【０００２】
従来、例えば下記特許文献１に示されるように、液体が収容された容器体に装着される噴出器本体と、噴出器本体の前方側に配設され、容器体内の液体を噴射する噴出孔が形成されたノズル部と、を備え、噴出器本体は、前方付勢状態で後方に揺動自在に配設されたトリガー部と、トリガー部の前後動に伴って作動するポンプ部と、を備えたトリガー式液体噴出器が知られている。
このトリガー式液体噴出器では、トリガー部を後方に向けて牽引することによるトリガー部の揺動に伴ってポンプ部が作動し、これにより容器体内から吸い上げられた液体が噴出孔から噴射される。
【先行技術文献】
【特許文献】
【０００３】
【特許文献１】特開２００４−３２９９８４号公報
【発明の概要】
【発明が解決しようとする課題】
【０００４】
しかしながら、上記従来のトリガー式液体噴出器では、トリガー部を後方に向けて牽引して揺動させる際の操作性に改善の余地があった。
【０００５】
本発明は、このような事情に鑑みてなされたもので、トリガー部を後方に向けて揺動させる際の操作性を向上することができるトリガー式液体噴出器を提供することを目的とする。
【課題を解決するための手段】
【０００６】
前記課題を解決するために、本発明に係るトリガー式液体噴出器は、液体が収容された容器体に装着される噴出器本体と、前記噴出器本体の前方側に配設され、前記容器体内の液体を噴射する噴出孔が前方に向けて開口するノズル部と、を備え、前記噴出器本体は、前方付勢状態で後方に揺動自在に配設されたトリガー部と、前記トリガー部の前後動に伴って作動するポンプ部と、を備え、前記ポンプ部の作動に伴って、前記容器体内から吸い上げられた液体が前記噴出孔から噴射されるトリガー式液体噴出器であって、前記トリガー部には、トリガーカバーが取付けられ、前記トリガーカバーの下端部は、前記トリガー部の下端部から下方に突出していることを特徴とする。
【０００７】
この発明によれば、トリガー部に取付けられたトリガーカバーの下端部が、トリガー部の下端部から下方に突出しているので、トリガー部を後方に向けて揺動させる際に、使用者が指をトリガーカバーの下端部に引っ掛けることができ、トリガー部およびトリガーカバーを一体に把持する操作部分を広く確保することができる。これにより、トリガー部を後方に向けて揺動させる際の操作性を向上することができる。
【０００８】
また、前記トリガーカバーは、前記トリガー部の前面に取付けられ、前記トリガーカバーは、前記噴出孔の下方に位置し、前記トリガーカバーの上端部において、前記噴出孔と左右方向の位置が同等である部分には、前方に向けて突出する受け部が形成され、前記受け部の前端部は、前記噴出孔よりも前方に位置してもよい。
この場合には、トリガーカバーの上端部において、噴出孔と左右方向の位置が同等である部分に形成された受け部の前端部が、噴出孔よりも前方に位置しているので、例えば噴出孔から液体を噴出した後に、噴出孔から液だれが生じた場合であっても、この液体を受け部の上面で受けることが可能になり、トリガーカバーの前面を操作する使用者の指に、液だれした液体が付着するのを抑えることができる。
【０００９】
また、前記ノズル部は、前記噴出孔からの、前記容器体内の液体の噴射が可能となる噴射可能位置と、前記噴出孔からの、前記容器体内の液体の噴射が規制される噴射規制位置と、の間を、前記噴出器本体に対して、前記噴出孔の中心軸線周りに周回する周方向に回転可能とされ、前記トリガーカバーは、前記トリガー部の前面に取付けられたトリガーカバー本体と、内側に前記ノズル部が収容された筒状のノズルカバーと、を備え、前記トリガーカバー本体および前記ノズルカバーは、弱化部を介して互いに接続されるとともに、一体に形成されてもよい。
この場合には、ノズルカバーとともにノズル部を噴出器本体に対して周方向に回転させると、ノズルカバーとトリガーカバー本体とが周方向に相対変位することで、弱化部が破断する。その後、さらにノズル部を周方向に回転させることで、ノズル部を噴射規制位置から噴射可能位置に移動させることができる。これらの過程において、筒状のノズルカバーが、ノズル部を内側に収容しているので、使用者が、ノズルカバーの厚み分だけ、ノズル部に対して径方向の外側に位置する部分を把持することとなる。これにより、ノズル部を周方向に回転させる際に要する力を小さくすることが可能になり、容易にノズル部を周方向に回転させることができる。
【００１０】
また、前記ノズルカバーの外周面には、径方向の外側に向けて突出する操作突起が形成されてもよい。
この場合には、前述のように、弱化部を破断しながらノズル部を噴射規制位置から噴射可能位置に向けて周方向に回転させる際に、使用者が、ノズルカバーの操作突起に、指を周方向に係合させることが可能になり、より一層容易にノズル部を回転させることができる。
【００１１】
また、前記ノズルカバーに破断容易部を介して接続された回転規制片を備え、前記回転規制片は、前記ノズル部が前記噴射規制位置から前記噴射可能位置に向けて移動したときに、前記噴出器本体に係止されてもよい。
この場合には、トリガー式液体噴出器が回転規制片を備えているので、破断容易部を破断して回転規制片をノズルカバーから除去してはじめて、ノズル部を噴射規制位置から噴射可能位置に向けて周方向に回転させることができる。このため、回転規制片の有無を確認することで、トリガー式液体噴出器が未使用状態であるかどうかを容易に確認することができる。
【発明の効果】
【００１２】
本発明によれば、トリガーを後方に向けて揺動させる際の操作性を向上することができる。
【図面の簡単な説明】
【００１３】
【図１】本発明の第１実施形態に係るトリガー式液体噴出器の要部を断面とした側面図である。
【図２】本発明の第１実施形態に係るトリガー式液体噴出器の正面図である。
【図３】本発明の第２実施形態に係るトリガー式液体噴出器の要部を断面とした側面図である。
【図４】本発明の第２実施形態に係るトリガー式液体噴出器の正面図である。
【図５】本発明の第３実施形態に係るトリガー式液体噴出器の要部を断面とした側面図である。
【図６】本発明の第３実施形態に係るトリガー式液体噴出器の正面図である。
【図７】本発明の第４実施形態に係るトリガー式液体噴出器の要部を断面とした側面図である。
【図８】本発明の第４実施形態に係るトリガー式液体噴出器の正面図である。
【図９】本発明の第５実施形態に係るトリガー式液体噴出器の要部を断面とした側面図である。
【図１０】本発明の第５実施形態に係るトリガー式液体噴出器の正面図である。
【発明を実施するための形態】
【００１４】
（第１実施形態）
以下、本発明の第１実施形態に係るトリガー式液体噴出器１について、図１および図２を参照して説明する。なお、以下の説明に用いる各図面では、各部材を認識可能な大きさとするために縮尺を適宜変更している場合がある。
図１に示すように、本実施形態に係るトリガー式液体噴出器１は、液体が収容された容器体Ａに装着される噴出器本体１０と、噴出器本体１０に配設され、容器体Ａ内の液体を噴射する噴出孔２１が前方に向けて開口するノズル部２０と、を備えている。
【００１５】
以下の説明において、噴出孔２１の中心軸線Ｏに沿う方向を前後方向といい、トリガー式液体噴出器１のうち、前後方向に沿うノズル部２０側を前方、その反対側を後方という。
また、前後方向から見た正面視で、中心軸線Ｏと交差する方向を径方向といい、中心軸線Ｏ周りに周回する方向を周方向という。
また、径方向のうちの一方向を上下方向といい、径方向のうち、上下方向と直交する方向を左右方向という。
【００１６】
図１および図２に示すように、噴出器本体１０は、前方付勢状態で後方に揺動自在に配設されたトリガー部１１と、トリガー部１１の前後動に伴って作動するポンプ部１２と、ポンプ部１２を一体に覆うカバー部１３と、を備えている。
トリガー部１１は、上下方向に延びるとともに、その上端部が左右方向に延びる軸線周りに回転可能に支持されることにより、前後方向に揺動自在に配設されている。
【００１７】
トリガー部１１は、表裏面が前後方向を向く前壁１１Ａを備えている。前壁１１Ａは、後方に向けて突となるように湾曲している。トリガー部１１の前壁１１Ａには、前壁１１Ａを前後方向に貫く第１取付孔１１Ｄおよび第２取付孔１１Ｅが各別に形成されている。第１取付孔１１Ｄは前壁１１Ａにおける上下方向の中間部分に配置されている。第２取付孔１１Ｅは、前壁１１Ａの上端部に配置されている。
第１取付孔１１Ｄおよび第２取付孔１１Ｅはそれぞれ、正面視で４辺のうちの２辺が上下方向に延び、かつ残りの２辺が左右方向に延びる矩形状を呈する。
【００１８】
第１取付孔１１Ｄ、第２取付孔１１Ｅ、および前壁１１Ａそれぞれにおける左右方向の中央部の位置は互いに同等となっている。
第１取付孔１１Ｄおよび第２取付孔１１Ｅそれぞれにおける左右方向の大きさは、互いに同等となっている。第１取付孔１１Ｄの上下方向の大きさは、左右方向の大きさよりも大きいとともに、第２取付孔１１Ｅの上下方向の大きさよりも大きくなっている。
なお、このような態様に限られず、第１取付孔１１Ｄおよび第２取付孔１１Ｅそれぞれの形状および有無は、後述するトリガーカバー３０の形態、およびトリガー部１１のうち、トリガーカバー３０が取付けられる部分の位置又は形状等に応じて、任意に変更可能である。
【００１９】
ポンプ部１２は、いずれも図示しないピストンおよびシリンダを備えている。ピストンは、シリンダ内に配設されているとともに、シリンダ内から前方に突出した前端部が、トリガー部１１の上端部における後側に連結されている。シリンダは前方に向けて開口している。ピストンは、トリガー部１１の前後動に伴って、シリンダ内を前後方向に摺動する。
そして、トリガー部１１の前後への揺動に伴って、ピストンがシリンダ内を前後方向に摺動することで、シリンダの内部が加圧および減圧されてポンプ部１２が作動する。これにより、トリガー式液体噴出器１は、シリンダ内の液体を噴出孔２１から噴射するとともに、容器体Ａ内の液体をシリンダ内に吸い上げる。
【００２０】
ノズル部２０は、前方に向けて液体を噴射させるためのものであり、正面視において略三角形状を呈している。ノズル部２０の正面視における中央部に、噴出孔２１が形成されている。トリガー部１１およびノズル部２０それぞれにおける左右方向の中央部の位置は、互いに同等となっている。
ノズル部２０は、噴出孔２１からの、容器体Ａ内の液体の噴射が可能となる噴射可能位置と、噴出孔２１からの、容器体Ａ内の液体の噴射が規制される噴射規制位置と、の間を、噴出器本体１０に対して、周方向に回転可能とされている。図示の例では、ノズル部２０は、噴出器本体１０との嵌合部分に形成された係止部の作用により、噴射規制位置と、噴射規制位置から周方向の一方側（図２に示す反時計周り）に位置する噴射可能位置と、の間を周方向に回転可能とされている。
【００２１】
そして本実施形態では、トリガー部１１には、トリガーカバー３０が取付けられている。トリガーカバー３０は、表裏面が前後方向を向く板状部材であり、正面視で矩形状を呈している。
トリガーカバー３０は、正面視において４辺のうちの２辺が上下方向に延び、かつ残りの２辺が左右方向に延びる向きに配置されている。トリガーカバー３０の上下方向の大きさは、左右方向の大きさよりも大きくなっている。
【００２２】
図示の例では、トリガーカバー３０は、トリガー部１１の前面１１Ｂに取付けられるとともに、噴出孔２１の下方に位置している。トリガーカバー３０は、左右方向から見た側面視で、トリガー部１１の前面１１Ｂに沿って、後方に向けて突となるように湾曲している。トリガーカバー３０は、下方に向かうに従い漸次、前方に向けて延びている。
【００２３】
トリガーカバー３０の後面３２には、後方に向けて突出する一対の第１嵌合板３３が形成されている。一対の第１嵌合板３３は、トリガーカバー３０の後面３２における上下方向の中央部に配置されている。一対の第１嵌合板３３は、表裏面が上下方向を向くとともに、互いに上下方向に間隔をあけて配置されている。
【００２４】
一対の第１嵌合板３３の後端部には、上下方向の外側に向けて突出する第１係合突部３３Ａが各別に形成されている。第１嵌合板３３は、トリガー部１１における第１取付孔１１Ｄの内面のうち、下方を向く上側面、および上方を向く下側面に、各別に当接している。第１嵌合板３３の後端部は、トリガー部１１の後面１１Ｃから後方に突出している。第１嵌合板３３の第１係合突部３３Ａは、トリガー部１１の後面１１Ｃに係合している。
【００２５】
トリガーカバー３０の後面３２には、後方に向けて突出する一対の第２嵌合板３４が形成されている。一対の第２嵌合板３４は、トリガーカバー３０の後面３２における上端部に配置されている。一対の第２嵌合板３４は、表裏面が上下方向を向くとともに、互いに上下方向に間隔をあけて配置されている。第２嵌合板３４は第１嵌合板３３よりも上下方向の厚みが小さく形成されている。
【００２６】
一対の第２嵌合板３４の後端部には、上下方向の外側に向けて突出する第２係合突部３４Ａが各別に形成されている。第２嵌合板３４は、トリガー部１１における第２取付孔１１Ｅの内面のうち、下方を向く上側面、および上方を向く下側面に、各別に当接している。第２嵌合板３４の後端部は、トリガー部１１の後面１１Ｃから後方に突出している。第２嵌合板３４の第２係合突部３４Ａは、トリガー部１１の後面１１Ｃに係合している。
【００２７】
トリガーカバー３０の前面３１には、前方に向けて突出するとともに、左右方向の全域にわたって延びる突条部３５が形成されている。突条部３５は上下方向に間隔をあけて複数形成されている。複数の突条部３５のうち、最も下側に位置する下側突条部３５Ａは、トリガーカバー３０の下端部に配置されている。図示の例では、突条部３５は３つ形成されている。なお、突条部３５の数量は任意に変更することができる。
【００２８】
トリガーカバー３０およびトリガー部１１それぞれにおける左右方向の中央部の位置は、互いに同等となっている。トリガーカバー３０の左右方向の大きさは、トリガー部１１の左右方向の大きさよりも大きくなっている。トリガーカバー３０およびトリガー部１１それぞれにおける上端部の位置は、互いに同等となっている。
【００２９】
そして、本実施形態では、トリガーカバー３０の下端部は、トリガー部１１の下端部から下方に突出している。トリガーカバー３０の下端部における、トリガー部１１の下端部からの下方への突出量は、一対の第１嵌合板３３同士の上下方向の間隔よりも大きくなっている。なお、前記突出量は、一対の第１嵌合板３３同士の上下方向の間隔以下であってもよい。
【００３０】
以上説明したように、本実施形態に係るトリガー式液体噴出器１によれば、トリガー部１１に取付けられたトリガーカバー３０の下端部が、トリガー部１１の下端部から下方に突出しているので、トリガー部１１を後方に向けて揺動させる際に、使用者が指をトリガーカバー３０の下端部に引っ掛けることができ、トリガー部１１およびトリガーカバー３０を一体に把持する操作部分を広く確保することができる。これにより、トリガー部１１を後方に向けて揺動させる際の操作性を向上することができる。
また、トリガー部１１のうち、トリガーカバー３０が取付けられる部分が、トリガー部１１のうち、ポンプ部１２のシリンダとの連結部分や、図示しない付勢部材との連結部分が配置された部分ではなく、トリガー部１１の前面又は側面に配置されているので、トリガーカバー３０を現行のトリガー部１１に取付けるために、現行のトリガー部１１の形状を大幅に変更する必要が無い。これにより、現行のトリガー部１１に対して行う設計変更を少なくすることができる。
【００３１】
（第２実施形態）
以下、図３および図４を参照し、本発明の第２実施形態に係るトリガー式液体噴出器２について説明する。
なお、本実施形態においては、第１実施形態における構成要素と同一の構成については同一の符号を付し、その説明を省略し、異なる点についてのみ説明する。
【００３２】
図３および図４に示すように、本実施形態に係るトリガー式液体噴出器２では、トリガーカバー３０Ｂの上端部において、噴出孔２１と左右方向の位置が同等である部分には、前方に向けて突出する受け部３６が形成されている。
受け部３６は、表裏面が上下方向を向く板状部材であり、上面視で矩形状を呈している。受け部３６は、上面視において４辺のうちの２辺が前後方向に延び、かつ残りの２辺が左右方向に延びる向きに配置されている。
【００３３】
受け部３６およびトリガーカバー３０Ｂそれぞれにおける左右方向の中央部の位置は、互いに同等となっている。受け部３６の左右方向の大きさはトリガーカバー３０Ｂよりも大きくなっている。受け部３６の左右方向の両端部は、トリガーカバー３０Ｂの左右方向の両端部から、左右方向の外側に向けて突出している。
【００３４】
受け部３６は、左右方向の中央部に向かうに従い漸次、下方に向けて延びている。受け部３６の後端部は、トリガーカバー３０Ｂの上端縁と接続されている。受け部３６の左右方向の両端部には、上方に向けて突出する鍔部３６Ａが各別に形成されている。鍔部３６Ａの上端部における上下方向の位置は、トリガー部１１の上端部よりも下方に位置している。図示の例では、受け部３６およびトリガーカバー３０Ｂは、一体に形成されている。
そして、受け部３６の前端部は、ノズル部２０における噴出孔２１よりも前方に位置している。
【００３５】
以上説明したように、本実施形態に係るトリガー式液体噴出器２によれば、トリガーカバー３０Ｂの上端部において、噴出孔２１と左右方向の位置が同等である部分に形成された受け部３６の前端部が、噴出孔２１よりも前方に位置しているので、例えば噴出孔２１から液体を噴出した後に、噴出孔２１から液だれが生じた場合であっても、この液体を受け部３６の上面で受けることが可能になり、トリガーカバー３０の前面を操作する使用者の指に、液だれした液体が付着するのを抑えることができる。
【００３６】
（第３実施形態）
以下、図５および図６を参照し、本発明の第３実施形態に係るトリガー式液体噴出器３について説明する。
なお、本実施形態においては、第１実施形態における構成要素と同一の構成については同一の符号を付し、その説明を省略し、異なる点についてのみ説明する。
【００３７】
図５および図６に示すように、本実施形態に係るトリガー式液体噴出器３では、トリガーカバー３０Ｃが、トリガー部１１の前面１１Ｂに取付けられたトリガーカバー本体４０と、内側にノズル部２０が収容された筒状のノズルカバー４１と、を備えている。ノズルカバー４１は正面視で三角形状を呈する。ノズルカバー４１の内周面形状は、ノズル部２０の外周面形状に沿って形成されている。
【００３８】
ノズルカバー４１の内周面における前端部には、径方向の内側に向けて突出する係合片４１Ａが複数形成されている。複数の係合片４１Ａは、ノズルカバー４１の内周面における正面視で三角形状の辺部をなす部分に各別に配置されている。係合片４１Ａは、前記辺部における周方向の中央部に配置されている。係合片４１Ａは、ノズル部２０の前端開口縁に、この前端開口縁の前方から当接している。
【００３９】
そして本実施形態では、トリガーカバー本体４０およびノズルカバー４１は、弱化部４２を介して互いに接続されるとともに、一体に形成されている。
ここで、ノズルカバー４１の下端部には、下方に向けて延びる第１接続片４３が形成されている。トリガーカバー本体４０の上端部には、上方に向けて延びる第２接続片４０Ａが形成されている。第１接続片４３、第２接続片４０Ａ、およびトリガー部１１それぞれにおける左右方向の中央部の位置は、互いに同等となっている。
【００４０】
弱化部４２は、第１接続片４３の下端部、および第２接続片４０Ａの上端部に各別に接続されている。図示の例では、弱化部４２は、左右方向に間隔をあけて一対配設されている。一対の弱化部４２同士の間、およびトリガー部１１それぞれにおける左右方向の中央部の位置は、互いに同等となっている。
【００４１】
ノズルカバー４１の外周面には、径方向の外側に向けて突出する操作突起４１Ｂが複数形成されている。操作突起４１Ｂは、ノズル部２０の外周面における正面視で三角形状の角部をなす部分に、各別に配置されている。図示の例では、操作突起４１Ｂは３つ形成されている。なお、操作突起４１Ｂの数量は、２つ以下であってもよいし、４つ以上であってもよい。
操作突起４１Ｂは、ノズル部２０の外周面における前後方向の全域にわたって延びている。
【００４２】
以上説明したように、本実施形態に係るトリガー式液体噴出器３によれば、ノズルカバー４１とともにノズル部２０を噴出器本体１０に対して周方向に回転させると、ノズルカバー４１とトリガーカバー本体４０とが周方向に相対変位することで、弱化部４２が破断する。その後、さらにノズル部２０を周方向に回転させることで、ノズル部２０を噴射規制位置から噴射可能位置に移動させることができる。このように、トリガーカバー本体４０およびノズルカバー４１が、弱化部４２を介して互いに接続されているので、使用者が使用開始時に、弱化部４２が既に破断されているかどうかを確認することにより、トリガー式液体噴出器３が未使用品であるかどうかを容易に認識することができる。また、ノズルカバー４１を周方向に回転させて弱化部４２を破断することにより、トリガー式液体噴出器３が未使用品であることを容易に認識することができる。これにより、トリガー式液体噴出器３の不正な使用を抑止することができる。
【００４３】
また、これらの過程において、筒状のノズルカバー４１が、ノズル部２０を内側に収容しているので、使用者が、ノズルカバー４１の径方向の厚み分だけ、ノズル部２０に対して径方向の外側に位置する部分を把持することとなる。これにより、ノズル部２０を周方向に回転させる際に要する力を小さくすることが可能になり、容易にノズル部２０を周方向に回転させることができる。
【００４４】
また、ノズルカバー４１の外周面に、径方向の外側に向けて突出する操作突起４１Ｂが形成されているので、前述のように、弱化部４２を破断しながらノズル部２０を噴射規制位置から噴射可能位置に向けて周方向に回転させる際に、使用者が、ノズルカバー４１の操作突起４１Ｂに、指を周方向に係合させることが可能になり、より一層容易にノズル部２０を回転させることができる。
【００４５】
（第４実施形態）
以下、図７および図８を参照し、本発明の第４実施形態に係るトリガー式液体噴出器４について説明する。
なお、本実施形態においては、第３実施形態における構成要素と同一の構成については同一の符号を付し、その説明を省略し、異なる点についてのみ説明する。
【００４６】
図７および図８に示すように、本実施形態に係るトリガー式液体噴出器４では、トリガーカバー３０Ｄの上端部に、前方に向けて突出する受け部３６が形成されている。トリガーカバー３０Ｄ本体の第２接続片４０Ａは、受け部３６の上面から上方に向けて延びている。弱化部４２の上端部、および受け部３６の鍔部３６Ａにおける上端部それぞれにおける上下方向の位置は、互いに同等となっている。
【００４７】
以上説明したように、本実施形態に係るトリガー式液体噴出器４によれば、前述した第２実施形態に係るトリガー式液体噴出器２と同様に、トリガーカバー３０Ｄの上端部に受け部３６が形成されているので、トリガーカバー３０の前面を操作する使用者の指に、噴出孔２１から液だれした液体が付着するのを抑えることができる。
また、前述した第３実施形態に係るトリガー式液体噴出器３と同様に、トリガーカバー本体４０およびノズルカバー４１が、弱化部４２を介して互いに接続されているので、トリガー式液体噴出器３の不正な使用を抑止することができる。
また、前述した第３実施形態に係るトリガー式液体噴出器３と同様に、筒状のノズルカバー４１が、ノズル部２０を内側に収容しているので、ノズル部２０を周方向に回転させる際に要する力を小さくすることが可能になり、容易にノズル部２０を周方向に回転させることができる。
【００４８】
（第５実施形態）
以下、図９および図１０を参照し、本発明の第５実施形態に係るトリガー式液体噴出器５について説明する。
なお、本実施形態においては、第４実施形態における構成要素と同一の構成については同一の符号を付し、その説明を省略し、異なる点についてのみ説明する。
【００４９】
図９および図１０に示すように、本実施形態に係るトリガー式液体噴出器５は、ノズルカバー４１に破断容易部５１を介して接続された回転規制片５０を備えている。回転規制片５０は、ノズルカバー４１の下側のうち、トリガー部１１の左右方向の外側に位置する部分に配設されている。
回転規制片５０は、表裏面が左右方向を向く板状部材である。回転規制片５０は、４辺のうちの２辺が上下方向に延び、かつ残りの２辺が前後方向に延びる向きに配置されている。回転規制片５０の前後方向の大きさは、上下方向の大きさよりも大きくなっている。
【００５０】
そして本実施形態では、回転規制片５０は、ノズルカバー４１の外周面に、破断容易部５１を介して接続されている。破断容易部５１は、回転規制片５０よりも左右方向の大きさが薄く形成されている。破断容易部５１は、回転規制片５０の上端部のうち、ノズルカバー４１と前後方向に重なる部分の全域に接続されている。
【００５１】
回転規制片５０の上端部は、ノズルカバー４１の外周面における下端部に接続されている。回転規制片５０は、噴出器本体１０と周方向の一方側に近接している。そして、回転規制片５０は、ノズル部２０が噴射規制位置から噴射可能位置に向けて移動したときに、噴出器本体１０に係止される。これにより、回転規制片５０は、ノズル部２０の周方向の一方側への回転を規制する。なお、回転規制片５０は、噴出器本体１０と周方向の一方側に当接していてもよい。
【００５２】
以上説明したように、本実施形態に係るトリガー式液体噴出器５によれば、トリガー式液体噴出器５が回転規制片５０を備えているので、破断容易部５１を破断して回転規制片５０をノズルカバー４１から除去してはじめて、ノズル部２０を噴射規制位置から噴射可能位置に向けて周方向に回転させることができる。このため、回転規制片５０の有無を確認することにより、トリガー式液体噴出器５が未使用品であるかどうかを容易に認識することができる。また、回転規制片５０を除去することにより、トリガー式液体噴出器５が未使用品であることを容易に認識することができる。
また、トリガー式液体噴出器５が、弱化部４２だけでなく回転規制片５０も備えていることにより、トリガー式液体噴出器５が未使用品であるかどうかを、より一層容易に確認することができる。
【００５３】
なお、本発明の技術範囲は、上記実施形態に限定されるものではなく、本発明の趣旨を逸脱しない範囲において、種々の変更を加えることが可能である。
【００５４】
例えば、上記各実施形態においては、トリガーカバー３０〜３０Ｅが、トリガー部１１の前面１１Ｂに取付けられた構成を示したが、このような態様に限られない。トリガーカバー３０〜３０Ｅの形状は任意に変更することが可能である。また、例えばトリガーカバー３０〜３０Ｅは、トリガー部１１における左右方向の両外側から、トリガー部１１を左右方向に挟み込むように、トリガー部１１の側面に取り付けてもよい。このような場合には、トリガー部１１に、トリガーカバー３０を取り付ける第１取付孔１１Ｄおよび第２取付孔１１Ｅや、その他の取付け部を設ける必要が無い。このため、現行の噴出器本体１０をそのまま流用することができる。
【００５５】
また、上記各実施形態においては、ノズル部２０が、噴射可能位置と噴射規制位置との間を噴出器本体１０に対して周方向に回転可能に配設されている構成を示したが、このような態様に限られない。例えばノズル部２０は、噴射可能位置と噴射規制位置との間を前後方向に進退可能とされてもよい。
【００５６】
また、上記第５実施形態においては、ノズル部２０が、周方向の一方側にのみ回転可能に配設され、回転規制片５０が、ノズルカバー４１の下側のうち、トリガー部１１の左右方向の外側に位置する部分に１つ設けられている構成を示したが、このような態様に限られない。ノズル部２０が周方向の両側に回転可能であり、回転規制片５０が、ノズルカバー４１の下側のうち、トリガー部１１の左右方向の両外側に各別に配設されてもよい。
【００５７】
また、上記各実施形態に限られず、トリガーカバー３０〜３０Ｅの、トリガー部１１への取付け構造を任意に変更することにより、公知の多種にわたる噴出器本体におけるトリガー部に、トリガーカバーを取付けることができる。
【００５８】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５９】
１、２、３、４、５  トリガー式液体噴出器
１０  噴出器本体
１１  トリガー部
１２  ポンプ部
２０  ノズル部
２１  噴出孔
３０、３０Ｂ、３０Ｃ、３０Ｄ、３０Ｅ  トリガーカバー
３６  受け部
４０  トリガーカバー本体
４１  ノズルカバー
４１Ｂ  操作突起
４２  弱化部
Ａ  容器体
Ｏ  中心軸線
【図１】
2019011108.tif 000003
【図２】
2019011108.tif 000004
【図３】
2019011108.tif 000005
【図４】
2019011108.tif 000006
【図５】
2019011108.tif 000007
【図６】
2019011108.tif 000008
【図７】
2019011108.tif 000009
【図８】
2019011108.tif 000010
【図９】
2019011108.tif 000011
【図１０】
2019011108.tif 000012